(57)【要約】【課題】前後寸法を小さく抑えるとともに重量の増大を抑え、更には、他物の引っ掛かりを回避することができながらも、強度アップを図ることができるフェンスを提供する点にある。【解決手段】左右方向に延びる複数の横桟１を、平面視において重複し、かつ、上下方向で平行となる状態で配置し、これら横桟１の前面に横桟１を上下方向で連結するための縦桟２を多数配置し、横桟１の両端にそれぞれ配置される縦長状の支柱３を、縦桟２の前後寸法よりも大きな前後寸法に設定し、横桟１が支柱の前後寸法内に収まる状態で横桟１を支柱３に固定し、縦桟２の前端面及び支柱３の前端面を平面視において円弧状となる湾曲面にそれぞれ構成し、支柱３の前端と縦桟２の前端とを左右方向視において面一状に構成した。【選択図】図２
2008088800.tif 000002
【特許請求の範囲】
【請求項１】
左右方向に延びる複数の横桟を、平面視において重複し、かつ、上下方向で平行となる状態で配置し、これら複数の横桟の前面に該横桟を上下方向で連結する縦桟を左右方向に間隔を置いて多数配置し、前記横桟の両端のそれぞれに配置される縦長状の支柱を、前記縦桟の前後寸法よりも大きな前後寸法に設定し、前記横桟が前記支柱の前後寸法内に収まる状態で該横桟を該支柱に固定し、前記縦桟の前端面及び前記支柱の前端面を平面視において前方側に突出する円弧状となる湾曲面にそれぞれ構成するとともに、該支柱の前端と該縦桟の前端とを左右方向視において面一状に構成していることを特徴とするフェンス。
【請求項２】
前記縦桟の上端及び前記支柱の上端のそれぞれに、先端側ほど下方に位置する前下がり傾斜面を備えている請求項１に記載のフェンス。
【請求項３】
前記支柱の横一側面の前後方向ほぼ中央位置に、前記横桟の端を固定している請求項１又は２に記載のフェンス。
【請求項４】
前記支柱の横一側面に、該横一側面から左右方向に延びる水平延出部を有するＬ字状の支持金具の縦板部を取り付け、前記支持金具の水平延出部に横桟を載置支持させてから、該横桟に上方から被せて該支持金具を覆うための門型のカバー部材を設け、前記カバー部材及び前記横桟を上下方向から貫通するボルトの先端を前記支持金具に貫通させてから、該ボルトの先端にナットを螺合させることにより、前記横桟を支持金具に固定している請求項１〜３のいずれかに記載のフェンス。
【発明の詳細な説明】
【技術分野】
【０００１】
本発明は、建物、工事現場、危険場所等の周りに設置してそれらを囲うことによって、人や車両等の侵入を阻止するための防護用として用いることができるフェンスに関する。
【背景技術】
【０００２】
上記フェンスとしては、例えば、上下方向に配置した複数の横桟の前面に、断面形状が角型の縦桟を左右方向に所定の間隔を置いて多数取り付け、前記横桟の後面の左右両端のそれぞれに、縦長状の支柱を取り付けて、縦格子フェンスを構成したものが提案されている（特許文献１参照）。
【特許文献１】特開２００１−９８７９６号公報（図１、図２参照）
【発明の開示】
【発明が解決しようとする課題】
【０００３】
上記特許文献１のフェンスでは、横桟の前後に縦桟と支柱とをそれぞれ振り分けて取り付ける構成であるため、３つの部材の前後寸法を合わせたものが、フェンスの前後寸法になることから、フェンスの前後寸法が大きくなってしまい、狭いスペースでの設置がし難いだけでなく、多くの設置スペースを必要とすることから、建物側の空きスペースが狭くなる不都合があった。
又、フェンスの強度を上げるために、前方側に位置する角型の縦桟を多数備えさせているため、重量の増大を招く不都合があるだけでなく、縦桟の角に他物が引っ掛かり易い不都合もあり、改善の余地があった。
【０００４】
本発明が前述の状況に鑑み、解決しようとするところは、前後寸法を小さく抑えるとともに重量の増大を抑え、更には、他物の引っ掛かりを回避することができながらも、強度アップを図ることができるフェンスを提供する点にある。
【課題を解決するための手段】
【０００５】
本発明のフェンスは、前述の課題解決のために、左右方向に延びる複数の横桟を、平面視において重複し、かつ、上下方向で平行となる状態で配置し、これら複数の横桟の前面に該横桟を上下方向で連結する縦桟を左右方向に間隔を置いて多数配置し、前記横桟の両端のそれぞれに配置される縦長状の支柱を、前記縦桟の前後寸法よりも大きな前後寸法に設定し、前記横桟が前記支柱の前後寸法内に収まる状態で該横桟を該支柱に固定し、前記縦桟の前端面及び前記支柱の前端面を平面視において前方側に突出する円弧状となる湾曲面にそれぞれ構成するとともに、該支柱の前端と該縦桟の前端とを左右方向視において面一状に構成していることを特徴としている。
上記のように構成することによって、横桟の両端のそれぞれに支柱を固定しても、支柱の前後寸法よりもフェンス全体の前後寸法が大きくなることがない。又、縦桟の前端面及び支柱の前端面を平面視において円弧状となる湾曲面に構成することによって、フラット面に構成した場合に比べて軽量化を図りながらも、縦桟及び支柱の前端面における強度アップを図ることができるだけでなく、他物の引っ掛かりを回避することができるとともに、縦桟や支柱に他物が接当した時に、前端面の湾曲面に沿って後方側へ逃がし易い利点がある。又、支柱の前端と縦桟の前端とを左右方向視において面一状に構成することによって、フェンスの設置時に左右方向視から支柱の前端と多数の縦桟の前端とが一直線状に並んでいることを視認にて確認するだけでそれらの位置合わせを容易に行うことができる。
【０００６】
前記縦桟の上端及び前記支柱の上端のそれぞれに、先端側ほど下方に位置する前下がり傾斜面を備えさせてもよい。
【０００７】
前記支柱の横一側面の前後方向ほぼ中央位置に、前記横桟の端を固定してもよい。
【０００８】
前記支柱の少なくとも横一側面に、該横一側面から左右方向に延びる水平延出部を有するＬ字状の支持金具の縦板部を取り付け、前記支持金具の水平延出部に横桟を載置支持させてから、該横桟に上方から被せて該支持金具を覆うための門型のカバー部材を設け、前記カバー部材及び前記横桟を上下方向から貫通するボルトの先端を前記支持金具に貫通させてから、該ボルトの先端にナットを螺合させることにより、前記横桟を支持金具に固定してもよい。
【発明の効果】
【０００９】
横桟の両端のそれぞれに配置される縦長状の支柱を、前記縦桟の前後寸法よりも大きな前後寸法に設定し、前記横桟が前記支柱の前後寸法内に収まる状態で該横桟を該支柱に固定することによって、横桟の両端のそれぞれに支柱を固定しても、支柱の前後寸法よりもフェンス全体の前後寸法が大きくなることがない。つまり、強度の最も必要な支柱を必要となる強度に合わせて支柱の前後寸法を設定することによって、フェンスが前後方向に大型化することを抑制しながらも、強度アップを図ることができる。又、縦桟の前端面及び支柱の前端面を平面視において前方側に突出する円弧状となる湾曲面に構成することによって、フラット面に構成した場合に比べて軽量化を図りながらも、縦桟及び支柱の前端面における強度アップを図ることができるだけでなく、他物の引っ掛かりを回避することができるとともに、縦桟や支柱に他物が接当した時に、前端面の湾曲面に沿って後方側へ逃がし易い利点があり、軽量化を更に図ることができながらも、立体感のある意匠性にも優れた商品価値の高いフェンスを得ることができる。又、支柱の前端と縦桟の前端とを左右方向視において面一状に構成することによって、フェンスの設置時に左右方向視から支柱の前端と縦桟の前端とが一直線状に並んでいることを視認にて確認するだけでそれらの位置合わせを容易に行うことができ、施工面においても有利になる。
【００１０】
前記縦桟の上端及び前記支柱の上端のそれぞれに、先端側ほど下方に位置する前下がり傾斜面を備えさせている場合には、より立体感を強調することができる意匠性に優れたデザインとすることができる。
【００１１】
前記支柱の横一側面の前後方向ほぼ中央位置に、前記横桟の端を固定している場合には、横桟に対して前後方向において前後に突出する突出量をほぼ同一にすることができ、フェンスの前後方向の中心を直ちに把握することができる。
【００１２】
前記支柱の少なくとも横一側面に、該横一側面から左右方向に延びる水平延出部を有するＬ字状の支持金具の縦板部を取り付け、前記支持金具の水平延出部に横桟を載置支持させてから、該横桟に上方から被せて該支持金具を覆うための門型のカバー部材を設け、前記カバー部材及び前記横桟を上下方向から貫通するボルトの先端を前記支持金具に貫通させてから、該ボルトの先端にナットを螺合させることにより、前記横桟を支持金具に固定している場合には、支持金具をカバー部材にて隠すことができるだけでなく、横桟と支持金具との取付部をカバー部材にて補強することができる。
【発明を実施するための最良の形態】
【００１３】
図１（ａ），（ｂ）に、建物、工事現場、危険場所等の周りに設置してそれらを囲うことによって、人や車両等の侵入を阻止するための防護用のフェンスを示している。このフェンスは、左右方向に延びる複数（図では上下２本であるが、３本以上であってもよい）の横桟１と、これら横桟１を上下方向で連結する多数の縦桟２と、横桟１の両端にそれぞれ位置させて連結される支柱３とを主要構成部材としている。
【００１４】
前記２本の横桟１は、平面視において重複し、かつ、上下方向で平行となる状態で所定間隔（図に示す間隔でなくてもよい）を置いて配置され、前記横桟１の前面に１５本（３本以上であれば何本でもよい）の縦桟２を左右方向に所定間隔（図では一定間隔にしているが、異なる間隔で配置してもよい）を置いて取り付けている。前記支柱３は、縦桟２及び横桟１の前後寸法よりも大きな（長い）前後寸法を有し、かつ、該縦桟２の上下寸法よりも大きな（長い）上下寸法（同一寸法でもよい）を有する縦長状の支柱３の横一側面の前後方向特定位置に前記横桟１の両端をそれぞれ固定することで、前記横桟１が前記支柱３の前後寸法内に収まる状態にしている。
【００１５】
前記縦桟２の前端面及び前記支柱３の前端面を、平面視において前方側に突出する円弧状となる湾曲面２Ａ及び３Ａにそれぞれ構成し、前記支柱３の前端と前記縦桟２の前端とを左右方向視において面一状に構成している。従って、図１（ｂ）に示すように、左右方向から見て、一直線状のラインＬに２本の支柱３の前端と１５本の縦桟２の前端とが一致するようにフェンスを配置することで、フェンスの位置決めが完了できるようになっている。前記横桟１、縦桟２、支柱３は、金属材料で構成することが好ましいが、金属とほぼ同等の強度を有するものであれば、どのような材料であってもよい。又、前記横桟１、縦桟２、支柱３は、内部中空型のものから構成することによって、軽量化を図ることができるが、強度アップを図りたい場合などには、中身が詰まった中実のものから構成することもできる。左右両側に位置する支柱３，３の下端部を地面Ｆの中に埋設することによって、フェンスを固定しているが、他の手段にてフェンスを固定してもよい。
【００１６】
前記各横桟１は、図３及び図４に示すように、内部中空で断面形状が長方形となる４つの板部、つまり上下一対の幅狭水平板部１Ａ，１Ｂとこれら幅狭水平板部１Ａ，１Ｂの前後端同士を上下方向で連結するための前後一対の幅広縦板部１Ｃ，１Ｄとからなる角型パイプからなっている。そして、この横桟１をそれの長手方向が左右方向となる状態で、かつ、断面形状の長方形の長辺方向が上下方向を向いた状態、つまり幅広縦板部１Ｃ，１Ｄが上下方向に沿う状態で配置している。
【００１７】
前記縦桟２及び支柱３は、図２（ａ），（ｂ）にも示すように、サイズは異なるが、形状はほぼ同一であり、内部中空で前後一対の前後板部２ａ，２ｂ、３ａ，３ｂと左右一対の左右板部２ｃ，２ｄ、３ｃ，３ｄと上下一対の上下板部２ｅ，２ｆ、３ｅ，３ｆとからなっているが、上下板部２ｅ，２ｆ、３ｅ，３ｆの無い筒状のものや、上側板部２ｅ，３ｃのみある底部開放型のものであってもよい。前記前側板部２ａ、３ａが円弧状の湾曲板になっている。又、前記上側板部２ｅ、３ｅは、長方形でフラットな板状の後側板部２ｂ、３ｂの上端から前方側へ延びる長方形でフラットな水平板部分４ａ、５ａと、この水平板部分４ａ、５ａの前端から前端側ほど下方に位置する前下がり傾斜面４ｃ、５ｃを有するフラットな傾斜板部４ｂ、５ｂとからなっているが、傾斜面の無い水平板部分４ａ、５ａのみで構成してもよいし、水平面の無い傾斜板部４ｂ、５ｂのみで構成することもできる。前記左右板部２ｃ，２ｄ、３ｃ，３ｄは、フラットな板状で上端のみが台形状となるほぼ長方形状になっている。下側板部２ｆ、３ｆは、フラットな板状で長方形状に構成されている。
【００１８】
前記各縦桟２は、前記横桟１，１に接触する箇所において溶接により固定されているが、ボルト止め等により固定してもよい。
【００１９】
前記支柱３も、前記縦桟２と同様に、前記横桟１，１の両端に、溶接により固定してもよいし、ボルト止め等により固定してもよい。前記ボルト止めしている場合を、図２〜図４に示している。つまり、前記支柱３の少なくとも横一側面に、該横一側面から左右方向に延びる水平延出部６Ａを有するＬ字状の支持金具６の縦板部６Ｂを取り付け、前記支持金具６の水平延出部６Ａに横桟１を載置支持させてから、該横桟１に上方から被せて該支持金具６を覆うための門型のカバー部材７を設け、前記カバー部材７及び前記横桟１を上下方向から貫通するボルト８の先端を前記支持金具６に貫通させてから、該ボルト８の先端（下端）に袋状のナット９を螺合させることにより、前記横桟１を支持金具６に固定している。前記支柱３の左右板部３ｃ，３ｄの上下２箇所それぞれに、ボルト１０を貫通可能な貫通孔３Ｃ，３Ｄを形成し、前記支持金具６の水平延出部６Ａに、前記ボルト１０を貫通可能な貫通孔６ｂを形成して、前記支持金具６の貫通孔６ｂと支柱３の貫通孔３Ｃ，３Ｄとを合わせた状態でボルト１０を挿通させ、貫通孔３Ｄから突出したボルト１０の先端に袋状のナット１１を螺合させることによって、支持金具６を支柱３に固定することができるようにしている。又、横桟１の両端部の上下板部１Ａ，１Ｄに、前記ボルト８が上下方向に貫通可能な上下一対の貫通孔１ａ，１ｄを形成し、前記カバー部材７及び前記支持金具６の水平延出部６Ａに、左右方向に長い寸法誤差を吸収することができる長孔６ａ、７Ａを形成している。従って、支持部材６の縦板部６Ｂの上端に接当載置したカバー部材７の長孔７Ａからボルト８を下方に向けて横桟１の貫通孔１ａ，１ｄを通して、支持金具６の水平延出部６Ａの長孔６ａに挿入し、該長孔６ａから下方へ突出したボルト８の下端にナット９を螺合させることにより、カバー部材７と横桟１と支持金具６とを一体化することができるようにしているが、他の方法を用いてもよい。前記カバー部材７が水平の長方形状の天板部と、この天板部の前後端から下方に垂下する前後一対の長方形状の縦板部とからなっているが、他の構成であってもよい。
【００２０】
図１〜図４では、支持金具６を支柱３の横一側にのみ取り付けているが、図５に示すように、支柱３の両横側に支持金具６を取り付けることによって、図６及び図７に示すように、左右方向に長いフェンスにすることができる。左右の支持金具６，６のそれぞれに、前記横桟１を取り付ける構成は、前記説明した通りであるため、説明は省略する。
【００２１】
図１（ｂ）及び図２（ｂ）では、支柱３の横一側面のうちの前後方向後側位置に取り付けて、支柱３の後側板部３ｂの表面と前記横桟１の後側の幅広縦板部１Ｄの表面とがほぼ面一状になるように構成したが、図８（ａ），（ｂ）に示すように、支柱３の横一側面の前後方向ほぼ中央位置に、前記横桟１の端を固定してもよい。この場合には、横桟１に対して前後方向において前後に突出する突出量をほぼ同一にすることができ、フェンスの前後方向の中心を直ちに把握することができる利点がある。
又、前記支柱３及び前記縦桟２を上下方向真っ直ぐに延びた一直線状のものから構成する他、図には示していないが、上端部に上端側ほど前方に位置する前上がり傾斜部からなる忍び返しを備えた支柱３及び縦桟２であってもよい。
【００２２】
前記支柱３に固定した支持金具６に横桟１を前記カバー部材７を介して固定する構成にしたが、図９（ａ），（ｂ）に示すように、カバー部材７を省略してもよい。この場合には、横桟１の両端の開口を閉じるための樹脂製又はゴム製又は金属製のキャップ１２を該開口に嵌めているが、該開口を閉じることができる大きさに製作した金属製の長方形の板材を溶接にて該開口に固定してもよい。尚、前記金属製のキャップ１２を、横桟１の両端の開口に嵌める場合には、開口とキャップ１２との間に隙間が発生することもあるが、横桟１を塗装することによって、その塗料にて前記隙間を埋めることができ、問題にはならない。そして、支柱３に溶接により固定された支持金具６の水平延出部６Ａに横桟１の左右方向一端を載置してから、前述したようにボルト８とナット９とにより水平延出部６Ａに横桟１を固定している。尚、他の部分は、前述したものと同一であるため、同一の符号を付すとともに説明を省略している。
又、図９で示した支持金具６を、縦板部６Ｂの下端から水平延出部６Ａが水平方向へ延びるように溶接にて取り付けたが、それとは反対に縦板部６Ｂの上端から水平延出部６Ａが水平方向へ延びるように取り付けてもよい。この場合、縦板部６Ｂの上端から水平方向に延びる水平延出部６Ａの上面に横桟１を載置して固定することになるため、支持金具６を、図５で示したように、ボルト１０とナット１１を用いて固定した場合でも、ボルト１０の頭部やナット１１がキャップ１２に干渉することがないだけでなく、支柱３の側壁に横桟１の端部を出来る限り近付けて配置することができる利点がある。
【００２３】
図１０（ａ），（ｂ）に、少なくとも上端が開放された縦桟２を示し、その縦桟２の前端面を平面視において前方側に突出する円弧状となる湾曲面に構成するとともに、その上端開口２Ｋに、図１１（ａ）〜（ｄ）に示すように、合成樹脂製（金属製又はゴム製あるいは木製等でもよい）のキャップ１３を内嵌して、上端開口２Ｋから雨等が内部に入り込むことを確実に阻止することができるようにしている。前記縦桟２の上端面２Ｔは、前方側ほど下方に位置する傾斜面に構成されている。これに対して、前記キャップ１３は、図１０（ａ）にも示すように、前記縦桟２の上端から内嵌可能な下端開放型の筒部１３Ａ（筒ではなくて、中身が詰まった中実の部材であってもよい）と、この筒部１３Ａの上端を閉じる天板部１３Ｂとからなり、天板部１３Ｂの外周面１３ｂが筒部１３Ａの外面１３ａよりも外側に突出するように構成するとともに該天板部１３Ｂの外形寸法を、縦桟２の外形寸法と同一寸法に構成している。従って、筒部１３Ａを縦桟２に差し込むことにより、天板部１３Ｂの外縁１３ｂの下端面１３Ｃが縦桟２の上端面２Ｔに接触した状態になるとともに、筒部１３Ａの外面１３ａと天板部１３Ｂの外周面１３ｂとが面一状になるように構成している。尚、前記筒部１３Ａの下端外面に下方に位置するほど内側に位置するテーパー面１３Ｔを形成して、縦桟２に筒部１３Ａの下端を差し込みやすいように構成しているが、テーパー面１３Ｔを省略してもよい。図１０及び図１１で示した構成を、前記支柱３にも適応してもよい。
【図面の簡単な説明】
【００２４】
【図１】フェンスを示し、（ａ）はそれの正面図、（ｂ）はそれの平面図である。
【図２】（ａ）は図１で示したフェンスの縦断側面図、（ｂ）は図１で示したフェンスの左右方向一端側の拡大平面図である。
【図３】支柱と横桟との取付構造を示す要部の縦断正面図である。
【図４】支柱と横桟との取付構造を示す要部の分解図である。
【図５】支柱の左右両横側のそれぞれに支持金具を取り付けた正面図である。
【図６】支柱の左右両横側に横桟を支持金具を介して取り付けた状態を示す正面図である。
【図７】左右に長いフェンスを示す正面図である。
【図８】（ａ）は別のフェンスの縦断側面図、（ｂ）は（ａ）で示したフェンスの左右方向一端側の拡大平面図である。
【図９】（ａ）は別のフェンスの左右方向一端側上部の正面図、（ｂ）は（ａ）で示したフェンスの左右方向一端側の拡大平面図である。
【図１０】（ａ）は別の縦桟にキャップを内嵌する直前の状態を示す正面図、（ｂ）は（ａ）で示した縦桟の側面図である。
【図１１】図１０で示した縦桟にキャップを装着した状態を示し、（ａ）はそれの正面図、（ｂ）はそれの一部断面にした側面図、（ｃ）はそれの背面図、（ｄ）はそれの平面図である。
【符号の説明】
【００２５】
１…横桟、１Ａ，１Ｂ…幅狭水平板部、１Ｃ，１Ｄ…幅広縦板部、２…縦桟、２ａ，２ｂ，３ａ，３ｂ…前後板部、２ｃ，２ｄ，３ｃ，３ｄ…左右板部、２ｅ，２ｆ，３ｅ，３ｆ…上下板部、２Ｋ…上端開口、２Ｔ…上端面、３…支柱、３Ｃ，３Ｄ…貫通孔、４ａ，５ａ…水平板部分、４ｂ，５ｂ…傾斜板部、４ｃ，５ｃ…前下がり傾斜面、６…支持金具、６Ａ…水平延出部、６Ｂ…縦板部、６ａ…貫通孔、６ｂ…長孔、７…カバー部材、７Ａ…長孔、８…ボルト、９…ナット、１０…ボルト、１１…ナット、１２…キャップ、１３…キャップ、１３Ａ…筒部、１３Ｂ…天板部、１３Ｃ…下端面、１３Ｔ…テーパー面、１３ａ…外面、１３ｂ…外縁、Ｆ…地面、Ｌ…ライン
【図１】
2008088800.tif 000003
【図２】
2008088800.tif 000004
【図３】
2008088800.tif 000005
【図４】
2008088800.tif 000006
【図５】
2008088800.tif 000007
【図６】
2008088800.tif 000008
【図７】
2008088800.tif 000009
【図８】
2008088800.tif 000010
【図９】
2008088800.tif 000011
【図１０】
2008088800.tif 000012
【図１１】
2008088800.tif 000013